【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
光が被検体に照射されることにより発生した光音響波を受信した複数の受信素子から出力された受信信号に基づいて、関心領域の被検体情報を取得する光音響装置であって、
前記受信信号に基づいて受信信号データを生成し、保存する信号データ取得部と、
前記関心領域を示す情報を取得する第１領域取得部と、
前記複数の受信素子の指向軸が集まる領域を示す情報を取得する第２領域取得部と、
前記受信信号データに基づいて、前記関心領域の前記被検体情報を取得する被検体情報取得部と、
を有し、
前記信号データ取得部は、
前記関心領域を示す情報、及び、前記指向軸が集まる領域を示す情報に基づいて、前記指向軸が集まる領域が前記関心領域に含まれないときに前記複数の受信素子のそれぞれから出力された前記受信信号に由来する前記受信信号データのデータ量を、前記指向軸が集まる領域が前記関心領域に含まれるときに前記複数の受信素子のそれぞれから出力された前記受信信号に由来する前記受信信号データのデータ量よりも小さくする
ことを特徴とする光音響装置。
【請求項２】
前記信号データ取得部は、前記指向軸が集まる領域が前記関心領域に含まれないときに前記複数の受信素子のそれぞれから出力された前記受信信号に由来する前記受信信号データを保存しない
ことを特徴とする請求項１に記載の光音響装置。
【請求項３】
前記信号データ取得部は、前記指向軸が集まる領域が前記関心領域に含まれないときに前記複数の受信素子のそれぞれから出力された前記受信信号に対するサンプリング周波数を、前記指向軸が集まる領域が前記関心領域に含まれるときに前記複数の受信素子のそれぞれから出力された前記受信信号に対するサンプリング周波数よりも低くして前記受信信号データを生成し、保存する
ことを特徴とする請求項１に記載の光音響装置。
【請求項４】
前記被検体情報取得部は、前記受信信号データのうち、前記複数の受信素子の指向軸が集まる領域が前記関心領域に含まれないときに前記複数の受信素子から出力された受信信号に由来する前記受信信号データを用いずに、前記関心領域の前記被検体情報を取得する
ことを特徴する請求項１から３のいずれか１項に記載の光音響装置。
【請求項５】
前記第１領域取得部は、ユーザの指示に基づいて決定された領域を示す情報を、前記関心領域を示す情報として取得する
ことを特徴とする請求項１から４のいずれか１項に記載の光音響装置。
【請求項６】
複数の領域を示す情報が保存された記憶部を更に有し、
前記第１領域取得部は、前記複数の領域のうち、ユーザの指示に基づいて決定された領域を示す情報を、前記関心領域を示す情報として取得することを特徴とする請求項１から４のいずれか１項に記載の光音響装置。
【請求項７】
前記複数の受信素子の指向軸が集まるように前記複数の受信素子を支持する支持体を更に有する
ことを特徴とする請求項１から６のいずれか１項に記載の光音響装置。
【請求項８】
前記支持体は、曲面上に前記複数の受信素子を支持する
ことを特徴とする請求項７に記載の光音響装置。
【請求項９】
前記支持体は、球面上に前記複数の受信素子を支持することにより、前記複数の受信素子の指向軸が前記球面の曲率中心に集まる
ことを特徴とする請求項７に記載の光音響装置。
【請求項１０】
複数のタイミングのそれぞれで光が前記被検体に照射されるときの前記支持体の位置を設定する制御部と、
前記制御部により設定された前記支持体の位置に前記支持体に移動させる移動機構と、
を更に有する
ことを特徴とする請求項１から９のいずれか１項に記載の光音響装置。
【請求項１１】
複数のパターンの、前記支持体の位置の組み合わせを示す情報が保存された記憶部と、
前記制御部は、前記複数のパターンのうち、ユーザの指示に基づいて決定されたパターンに対応する前記支持体の位置の組み合わせを示す情報に基づいて、前記支持体の位置を設定する
ことを特徴とする請求項１０に記載の光音響装置。
【請求項１２】
前記信号データ取得部は、前記支持体の位置を示す情報に基づいて、前記指向軸が集まる領域を示す情報を取得する
ことを特徴とする請求項１から１１のいずれか１項に記載の光音響装置。
【請求項１３】
光が被検体に照射されることにより発生した光音響波を受信した複数の受信素子から出力された受信信号に基づいて、関心領域の被検体情報を取得する光音響装置であって、
前記受信信号に基づいて受信信号データを生成し、保存する信号データ取得部と、
前記関心領域を示す情報を取得する第１領域取得部と、
前記複数の受信素子の指向軸が集まる領域を示す情報を取得する第２領域取得部と、
前記受信信号データに基づいて、前記関心領域の前記被検体情報を取得する被検体情報取得部と、
を有し、
前記信号データ取得部は、
前記関心領域を示す情報、及び、前記指向軸が集まる領域を示す情報に基づいて、前記指向軸が集まる領域が前記関心領域に含まれないときに前記複数の受信素子のそれぞれから出力された前記受信信号に由来する前記受信信号データを保存しない
ことを特徴とする光音響装置。
【請求項１４】
前記信号データ取得部は、前記指向軸が集まる領域が前記関心領域に含まれないときに前記複数の受信素子のそれぞれから出力された前記受信信号に由来する前記受信信号データを生成しない
ことを特徴とする請求項１３に記載の光音響装置。
【請求項１５】
光が被検体に照射されることにより発生した光音響波を受信した複数の受信素子から出力された受信信号に基づいて受信信号データを生成し、保存する信号処理方法であって、
前記複数の受信素子の指向軸が集まる領域が前記関心領域に含まれないときに前記複数の受信素子のそれぞれから出力された前記受信信号に由来する前記受信信号データのデータ量を、前記複数の受信素子の指向軸が集まる領域が前記関心領域に含まれるときに前記複数の受信素子のそれぞれから出力された前記受信信号に由来する前記受信信号データのデータ量よりも小さくする
ことを特徴とする信号処理方法。
【請求項１６】
光が被検体に照射されることにより発生した光音響波を受信した複数の受信素子から出力された受信信号に基づいて受信信号データを生成し、保存する信号処理方法であって、
前記複数の受信素子の指向軸が集まる領域が前記関心領域に含まれないときに前記複数の受信素子のそれぞれから出力された前記受信信号に由来する前記受信信号データを保存しない
ことを特徴とする信号処理方法。
【請求項１７】
前記指向軸が集まる領域が前記関心領域に含まれないときに前記複数の受信素子のそれぞれから出力された前記受信信号に由来する前記受信信号データを生成しない
ことを特徴とする請求項１６に記載の信号処理方法。
【請求項１８】
請求項１５から１７のいずれか１項に記載の信号処理方法をコンピュータに実行させるためのプログラム。
【手続補正２】
【補正対象書類名】明細書
【補正対象項目名】発明の名称
【補正方法】変更
【補正の内容】
【発明の名称】光音響装置、信号処理方法、及びプログラム
【手続補正３】
【補正対象書類名】明細書
【補正対象項目名】０００９
【補正方法】変更
【補正の内容】
【０００９】
本発明に係る光音響装置は、光が被検体に照射されることにより発生した光音響波を受信した複数の受信素子から出力された受信信号に基づいて、関心領域の被検体情報を取得する光音響装置であって、受信信号に基づいて受信信号データを生成し、保存する信号データ取得部と、関心領域を示す情報を取得する第１領域取得部と、
複数の受信素子の指向軸が集まる領域を示す情報を取得する第２領域取得部と、
受信信号データに基づいて、関心領域の被検体情報を取得する被検体情報取得部と、を有し、信号データ取得部は、関心領域を示す情報、及び、指向軸が集まる領域を示す情報に基づいて、指向軸が集まる領域が関心領域に含まれないときに複数の受信素子のそれぞれから出力された受信信号に由来する受信信号データのデータ量を、指向軸が集まる領域が関心領域に含まれるときに複数の受信素子のそれぞれから出力された受信信号に由来する受信信号データのデータ量よりも小さくする。